【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
参加者からの投稿を受け付ける受付手段を有する情報処理装置と接続可能な画像表示システムであって、
前記情報処理装置から前記投稿の内容と、前記投稿に対応するプレゼンテーション資料のページ番号とを取得する取得手段と、
前記取得手段により取得した前記投稿の内容と前記投稿に対応するプレゼンテーション資料のページ番号を管理する管理手段と、
前記管理手段で管理する前記投稿の投稿の内容と、前記プレゼンテーション資料の画面とを含む画面を表示するように制御する表示制御手段と
を有し、
前記表示制御手段は、前記管理手段で管理する当該表示制御手段により内容を表示するように制御した前記投稿に対応するページ番号を識別可能に表示するように制御することを特徴とする画像表示システム。
【請求項２】
前記取得手段は、前記投稿の内容の入力を開始したときに前記表示制御手段によって表示するように制御されている画面に表示されているプレゼンテーション資料のページ番号を、前記受付手段で受け付けた投稿に対応するプレゼンテーション資料のページ番号として取得することを特徴とする請求項１に記載の画像表示システム。
【請求項３】
前記投稿には複数の種別が設けられており、
前記取得手段は、当該複数の種別のいずれかであるかについても取得することを特徴とする請求項１または２に記載の画像表示システム。
【請求項４】
前記画像表示システムには、前記投稿の内容の入力をユーザから受け付けるための受付画面であって、前記プレゼンテーション資料の画面を含む受付画面を表示制御する受付画面制御手段を更に有し、
前記受付画面制御手段は、前記受付画面を介して前記投稿の内容の入力を受け付けていない場合には、前記表示制御手段によって表示するように制御されている前記プレゼンテーション資料の画面が切り替わるのに連動して前記受付画面に含まれる前記プレゼンテーション資料の画面を切り替えて表示するように制御し、一方、前記投稿の内容の入力を受け付けている間は、前記表示制御手段によって表示するように制御されている前記プレゼンテーション資料の画面が切り替わるのに連動して前記受付画面に含まれる前記プレゼンテーション資料の画面を切り替えることなく、前記投稿の内容の入力の受け付けを開始したときに前記表示制御手段によって表示するように制御されていた前記プレゼンテーション資料の画面を含む前記受付画面を表示し続けるように表示制御することを特徴とする請求項１乃至３のいずれか１項に記載の画像表示システム。
【請求項５】
前記表示制御手段は、前記投稿が複数存在する場合に、当該複数の投稿に対応するページ番号順に配置し、ページ番号順に最もページ番号の大きいページに対応する投稿の少なくとも１つが投影されるように表示制御することを特徴とする請求項１乃至４のいずれか１項に記載の画像表示システム。
【請求項６】
参加者からの投稿を受け付ける受付手段を有する情報処理装置と接続可能な画像表示システムの制御方法であって、
前記画像表示システムの取得手段が、前記情報処理装置から前記投稿の内容と、前記投稿に対応するプレゼンテーション資料のページ番号とを取得する取得工程と、
前記画像表示システムの管理手段が、前記取得工程により取得した前記投稿の内容と前記投稿に対応するプレゼンテーション資料のページ番号を管理する管理工程と、
前記画像表示システムの表示制御手段が、前記管理工程で管理する前記投稿の投稿の内容と、前記プレゼンテーション資料の画面とを含む画面を表示するように制御する表示制御工程と
を有し、
前記表示制御工程は、前記管理工程で管理する当該表示制御工程により内容を表示するように制御した前記投稿に対応するページ番号を識別可能に表示するように制御することを特徴とする画像表示システムの制御方法。
【請求項７】
参加者からの投稿を受け付ける受付手段を有する情報処理装置と接続可能な画像表示システムで読み取り実行可能なプログラムであって、
前記画像表示システムを、
前記情報処理装置から前記投稿の内容と、前記投稿に対応するプレゼンテーション資料のページ番号とを取得する取得手段と、
前記取得手段により取得した前記投稿の内容と前記投稿に対応するプレゼンテーション資料のページ番号を管理する管理手段と、
前記管理手段で管理する前記投稿の投稿の内容と、前記プレゼンテーション資料の画面とを含む画面を表示するように制御する表示制御手段と
して機能させ、
前記表示制御手段は、前記管理手段で管理する当該表示制御手段により内容を表示するように制御した前記投稿に対応するページ番号を識別可能に表示するように制御することを特徴とするプログラム。
【請求項８】
参加者から受け付けた投稿の内容と、当該投稿に対応するプレゼンテーション資料のページ番号とを管理する管理手段と、
前記管理手段で管理する前記投稿の内容と、前記プレゼンテーション資料の画面とを含む画面を表示するように制御する表示制御手段と
を有し、
前記表示制御手段は、前記管理手段で管理する当該表示制御手段により内容を表示するように制御した前記投稿に対応するページ番号を識別可能に表示するように制御することを特徴とするサーバ。
【請求項９】
参加者から受け付けた投稿の内容と、当該投稿に対応するプレゼンテーション資料のページ番号とを管理する管理手段を有するサーバの制御方法であって、
前記サーバの表示制御手段が、前記管理手段で管理する前記投稿の内容と、前記プレゼンテーション資料の画面とを含む画面を表示するように制御する表示制御工程と
を有し、
前記表示制御工程は、前記管理手段で管理する当該表示制御工程により内容を表示するように制御した前記投稿に対応するページ番号を識別可能に表示するように制御することを特徴とするサーバの制御方法。
【請求項１０】
参加者から受け付けた投稿の内容と、当該投稿に対応するプレゼンテーション資料のページ番号とを管理する管理手段を有するサーバで読み取り実行可能なプログラムであって、
前記サーバを、
前記管理手段で管理する前記投稿の内容と、前記プレゼンテーション資料の画面とを含む画面を表示するように制御する表示制御手段と
して機能させ、
前記表示制御手段は、前記管理手段で管理する当該表示制御手段により内容を表示するように制御した前記投稿に対応するページ番号を識別可能に表示するように制御することを特徴とするプログラム。
【手続補正２】
【補正対象書類名】明細書
【補正対象項目名】発明の名称
【補正方法】変更
【補正の内容】
【発明の名称】画像表示システム、画像表示システムの制御方法、サーバ、サーバの制御方法、およびプログラム
【手続補正３】
【補正対象書類名】明細書
【補正対象項目名】０００１
【補正方法】変更
【補正の内容】
【０００１】
本発明は、画像表示システム、画像表示システムの制御方法、サーバ、サーバの制御方法、およびプログラムに関する。
【手続補正４】
【補正対象書類名】明細書
【補正対象項目名】０００８
【補正方法】変更
【補正の内容】
【０００８】
本願発明は、プレゼンテーション中に参加者からのコメントを収集することができる画像表示システムにおいて、プレゼンターによる進行を妨げることなく、参加者から投稿された内容とその内容に対応するプレゼンテーション資料を容易に判別することができる仕組みを提供することを目的としている。
【手続補正５】
【補正対象書類名】明細書
【補正対象項目名】０００９
【補正方法】変更
【補正の内容】
【０００９】
本発明は、参加者からの投稿を受け付ける受付手段を有する情報処理装置と接続可能な画像表示システムであって、前記情報処理装置から前記投稿の内容と、前記投稿に対応するプレゼンテーション資料のページ番号とを取得する取得手段と、前記取得手段により取得した前記投稿の内容と前記投稿に対応するプレゼンテーション資料のページ番号を管理する管理手段と、前記管理手段で管理する前記投稿の投稿の内容と、前記プレゼンテーション資料の画面とを含む画面を表示するように制御する表示制御手段とを有し、前記表示制御手段は、前記管理手段で管理する当該表示制御手段により内容を表示するように制御した前記投稿に対応するページ番号を識別可能に表示するように制御することを特徴とする。また、本発明は、参加者からの投稿を受け付ける受付手段を有する情報処理装置と接続可能な画像表示システムの制御方法であって、前記画像表示システムの取得手段が、前記情報処理装置から前記投稿の内容と、前記投稿に対応するプレゼンテーション資料のページ番号とを取得する取得工程と、前記画像表示システムの管理手段が、前記取得工程により取得した前記投稿の内容と前記投稿に対応するプレゼンテーション資料のページ番号を管理する管理工程と、前記画像表示システムの表示制御手段が、前記管理工程で管理する前記投稿の投稿の内容と、前記プレゼンテーション資料の画面とを含む画面を表示するように制御する表示制御工程とを有し、前記表示制御工程は、前記管理工程で管理する当該表示制御工程により内容を表示するように制御した前記投稿に対応するページ番号を識別可能に表示するように制御することを特徴とする。また、本発明は、参加者からの投稿を受け付ける受付手段を有する情報処理装置と接続可能な画像表示システムで読み取り実行可能なプログラムであって、前記画像表示システムを、前記情報処理装置から前記投稿の内容と、前記投稿に対応するプレゼンテーション資料のページ番号とを取得する取得手段と、前記取得手段により取得した前記投稿の内容と前記投稿に対応するプレゼンテーション資料のページ番号を管理する管理手段と、前記管理手段で管理する前記投稿の投稿の内容と、前記プレゼンテーション資料の画面とを含む画面を表示するように制御する表示制御手段として機能させ、前記表示制御手段は、前記管理手段で管理する当該表示制御手段により内容を表示するように制御した前記投稿に対応するページ番号を識別可能に表示するように制御することを特徴とする。また、本発明は、参加者から受け付けた投稿の内容と、当該投稿に対応するプレゼンテーション資料のページ番号とを管理する管理手段と、前記管理手段で管理する前記投稿の内容と、前記プレゼンテーション資料の画面とを含む画面を表示するように制御する表示制御手段とを有し、前記表示制御手段は、前記管理手段で管理する当該表示制御手段により内容を表示するように制御した前記投稿に対応するページ番号を識別可能に表示するように制御することを特徴とする。また、本発明は、参加者から受け付けた投稿の内容と、当該投稿に対応するプレゼンテーション資料のページ番号とを管理する管理手段を有するサーバの制御方法であって、前記サーバの表示制御手段が、前記管理手段で管理する前記投稿の内容と、前記プレゼンテーション資料の画面とを含む画面を表示するように制御する表示制御工程とを有し、前記表示制御工程は、前記管理手段で管理する当該表示制御工程により内容を表示するように制御した前記投稿に対応するページ番号を識別可能に表示するように制御することを特徴とする。また、本発明は、参加者から受け付けた投稿の内容と、当該投稿に対応するプレゼンテーション資料のページ番号とを管理する管理手段を有するサーバで読み取り実行可能なプログラムであって、前記サーバを、前記管理手段で管理する前記投稿の内容と、前記プレゼンテーション資料の画面とを含む画面を表示するように制御する表示制御手段として機能させ、前記表示制御手段は、前記管理手段で管理する当該表示制御手段により内容を表示するように制御した前記投稿に対応するページ番号を識別可能に表示するように制御することを特徴とする。
【手続補正６】
【補正対象書類名】明細書
【補正対象項目名】００１０
【補正方法】変更
【補正の内容】
【００１０】
以上のように設けることにより、参加者から投稿された内容とその内容に対応するプレゼンテーション資料を容易に判別することができる。これによりプレゼンターは、進行を妨げられることなく、プレゼンテーション中の適当なタイミングで質問に対する回答を行ったり、コメントに対する議論を広げたり等の適切な対応を行うことが可能となる。